(57)【特許請求の範囲】
【請求項１】
熱電材料の端部とそれと対峙する材料表面との間乃至前記熱電材料を構成する熱電材料部内に、熱流乃至作業物質流の伝わるのを殆ど妨げる広がりである１つ以上の空間を備え、これら空間で対峙する熱電材料乃至作業物質良導体の１以上の表面上に、
ｉ）  作業物質が放出しやすい形状をもつ部位（尖塔端子の頭頂部、或は尖塔の頭頂部）に空間部分でない方向から至る部位となる全表面当たり１以上の手掛りを持ち、これら１以上の手掛りに接する空間で接する熱電材料と同等乃至それ以上の作業物質流量があるが作業物質に起因する以外の熱伝量が殆ど無視できる距離以上の大きさであり、電界電荷粒子、磁界電荷粒子、ジョセフソン接合あるいは濃度拡散場を含めた外界作業物質粒子放出しやすい形状である空間部分を持つことにより、空間部分がなく互いに接合した場合に比べ熱伝導率を低減しあるいは熱応力による損傷乃至素材イオンの拡散混入を低減すること、あるいは作業物質の端部への移動により発生した熱を利用すること、
あるいは、上記ｉ）を用いても、空間で接する熱電材料と同等乃至それ以上の電流量でかつ作業物質に起因する以外の熱伝量が殆ど無視できる距離以上にできない場合は、上記ｉ）の構造物を用いず空間内を
ｉｉ）  細線で結合する部位に、熱流乃至電流の伝わる方向に平行な方向に１つ以上の細線で空間を架橋することにより、この手掛りを持つ架橋した空間に接する熱電材料と同等乃至それ以上の作業物質流量があるが作業物質に起因する以外の熱伝量がフォノンの散乱によって小さくできる距離以上の細線の長さであり、空間部分がなく互いに接合した場合に比べ熱伝導率を低減しあるいは熱応力による損傷乃至素材イオンの拡散混入を低減することを特徴とする手掛りを持つ熱電変換素子。
【請求項２】
請求項１記載の手掛りを持つ熱電変換素子で１つ以上の空間に熱電材料などの界面近傍に電磁波源あるいは放射線源を具備した空間をもつために、これら線源を具備した空間と接する熱電材料と同等乃至それ以上の電流量があり、空間部分乃至架橋した空間部分がなく互いに接合した場合に比べ熱伝導率を低減することを特徴とする手掛りを持つ熱電変換素子。
【請求項３】
請求項１、請求項２記載の手掛りを持つ熱電変換素子で空間部分乃至架橋した空間部分の空間に接する表面を導電性材料によりコーティング或いは材料を接合し、局部的な帯電乃至作業物質の滞留を防ぐことを特徴とする手掛りを持つ熱電変換素子。
【請求項４】
請求項１、請求項２記載の手掛りを持つ熱電変換素子で空間部分乃至架橋した空間部分の空間に接する表面をコーティング或いは材料を接合することで前記表面の作業物質のエネルギー状態を変えて大きな電流乃至作業物質流が流れても劣化しにくいことを特徴とする手掛りを持つ熱電変換素子。
【請求項５】
請求項１、請求項２、請求項３、請求項４記載の手掛りを持つ熱電変換素子乃至空間部分に０以上の可動部をもつ熱電変換素子を用いたセグメント素子であることにより設計しやすいことを特徴とする手掛りを持つ熱電変換モジュールおよび、それらを内蔵する熱電変換システム。
【発明の詳細な説明】
【発明の詳細な説明】
【技術分野】
【０００１】
本発明は、熱電変換素子に手掛りを持つ熱電変換素子での熱エネルギーと電気エネルギーとの変換方法に関する。
【背景技術】
【０００２】
熱エネルギーを電気エネルギーに変換する発電システムに熱電材料、熱電変換素子を用いた熱電発電や、熱電子発電などがある。熱電材料や熱電変換素子を逆変換として用いると冷却システムに利用できる。
古典系作業物質の場合の電子やホールの熱電材料及び、熱電変換素子の性能は、通常、性能指数Ｚは
【数１】
0006307679.tif 000002
で定義され、無次元性能指数ＺＴ（Ｔは絶対温度）が大きな熱電材料及び、熱電変換素子ほど熱電エネルギー変換効率が高い。ここで、Ｓはゼーベック係数と呼ばれる熱電能、熱伝導率ｋは作業物質の熱伝導成分ｋｃと格子による熱伝導成分ｋｐｈ成分の和、ｐは作業物質の電気抵抗率である。温度を変化させないで大きいＺＴを得るためには、大きなＳ、小さなｋ及び小さなｐにすればいい。熱電材料では、これら三つの熱電特性はいずれも作業物質の濃度の関数であり、その濃度が高くなるとＳおよびｐは小さくなり、ｋは大きくなる。半導体理論によると熱電材料では、使用温度域によって最適な電子あるいはホール濃度が存在する。
その濃度に対して熱電性能をよくするには
１）電子あるいはホール濃度を高くしｐを小さくする
２）Ｗｉｅｄｅｍａｎｎ−Ｆｒａｎｚの法則よりｋｃ∝１／ｐであることからｋｐｈを小さくする
３）電子あるいはホールの有効質量の大きな材料系でＳを大きくする
の３通りが考えられる。
上記の無次元性能指数は古典系作業物質の伝熱量と電流量に関する熱平衡輸送理論を用いて導出されている。この理論は量子系作業物質にも拡張できる。
【０００３】
伝熱量と電流量が関連して輸送される現象を利用する材料が熱電材料そして、外部に電流・電圧源を用いずに熱電材料の材料種（特に性能指数Ｚ）に関係して空間内構造物やその数量は変化させる最適化を行って得られる熱電変換素子は熱電材料に特許文献１の記載する
請求項１：
熱電材料の端部とそれと対峙する材料表面との間乃至前記熱電材料を構成する熱電材料部内に、熱流乃至電流の伝わるのを妨げる１つ以上の空間を備え、これら空間と接する熱電材料と同等乃至それ以上の電流量があるが作業物質に起因する以外の熱伝量が殆ど無視できる距離以上の大きさであり、電界電荷粒子、磁界電荷粒子あるいは外界作業物質粒子放出しやすい形状である空間部分を持つことにより、空間部分がなく互いに接合した場合に比べ熱伝導率を低減しあるいは熱応力による損傷乃至素材イオンの拡散混入を低減すること、あるいは作業物質の端部への移動により発生した熱を利用することを特徴とする熱電変換素子。
請求項２：
熱電材料の端部とそれと対峙する材料表面との間乃至前記熱電材料を構成する熱電材料部内に、熱流乃至電流の伝わるのを殆ど妨げる広がりである１つ以上の空間を備え、これらの１つの空間に１つ以上の細線で架橋することにより、この空間に接する熱電材料と同等乃至それ以上の電流量があるが作業物質に起因する以外の熱伝量がフォノンの散乱によって小さくできる距離以上の細線の長さであり、空間部分がなく互いに接合した場合に比べ熱伝導率を低減しあるいは熱応力による損傷乃至素材イオンの拡散混入を低減することを特徴とする熱電変換素子。
請求項３：
熱電材料の端部とそれと対峙する材料表面との間乃至前記熱電材料を構成する熱電材料部内に、熱流乃至電流の伝わるのを妨げる１つ以上の空間を備え、これらの１つの空間に熱電材料などの界面近傍に電磁波源あるいは放射線源を具備した空間をもつために、この空間と接する熱電材料と同等乃至それ以上の電流量があり、空間部分がなく互いに接合した場合に比べ熱伝導率を低減することを特徴とする熱電変換素子。
請求項４：
請求項１、請求項２、請求項３記載の熱電変換素子で空間部分に接する表面を導電性材料によりコーティング或いは材料を接合し、局部的な帯電を防ぐことを特徴とする熱電変換素子。
請求項５：
請求項１、請求項３記載の熱電変換素子で空間部分に接する表面をコーティング或いは材料を接合することで前記表面の作業物質のエネルギー状態を変えて大きな電流が流れても劣化しにくいこと特徴とする熱電変換素子。
の工夫を用いた熱電変換素子であり、熱電変換素子に特許文献１記載の
請求項６：
請求項１、請求項２、請求項３、請求項４、請求項５記載の熱電変換素子乃至空間部分に可動部をもつ熱電変換素子を用いたセグメント素子であることにより設計しやすいことを特徴とする熱電変換モジュールおよび、それらを内蔵する熱電変換システム。
請求項７：
請求項１、請求項２、請求項３、請求項４、請求項５、請求項７に記載の熱電変換素子において作業物質が放出場所に隣接する部位乃至対峙する部位、または細線乃至それに隣接する部位に、作業物質の移動を制御できる装置を設置することを特徴とする熱電変換素子。
の工夫を用いた熱電変換モジュールやシステムであり、熱輸送現象を担う作業物質として、系が古典力学で扱える場合の電子やホールなどの古典系作業物質や、おもに極低温になると量子効果が顕著になる場合の量子系作業物質がある。また、電流輸送現象も金属から絶縁物にいたる幅広い電気伝導度が利用される。伝熱量を極力抑える上記の工夫をし、電荷の輸送量が多い材料から構築される熱電変換素子、モジュールそして、システムがある。
【０００４】
熱流や電流がお互いに平行で、それらの流れる方向にそれらの流れを妨げるように空間を配した熱電材料を用いたシステムに、特許文献２、特許文献３の冷却システムがある。これらのシステムでは、外部に電源があるのでその電圧を大きくすれば、空間を電流が流れ、半導体中を熱も移動することになる。一方、熱電変換素子を用いたモジュールやシステムは上記の冷却システムより容易に効率を上げる。
【０００５】
熱電変換素子内の空間部分を構成する物体間の空間をどのように作業物質が移動するかは作業物質のポテンシャルによって決まる。その空間に接する表面近傍では電気鏡像効果によりそのポテンシャルが低くなる。そのポテンシャルは、シミュレーションによって、あるいは非特許文献１のように解析的に求められる。
【０００６】
放射線のエネルギーを利用して電力に変換するものとして原子力電池がある。これには原子核崩壊に伴う熱を利用するものとしないものに分けられる。熱を利用するものには熱電変換方式や熱イオン変換方式などがある。熱を利用しないものには放射線を熱電変換素子の空間部分乃至架橋した空間部分に照射して起電力を得るものがある。
【０００７】
熱電材料を接合してモジュールに組み立てるには、接合する必要がある。接合する方法は、はんだ接合法・熱パルス法（熱プラズマ溶射法）・物理蒸着法・溶接法・電気めっき法（化学蒸着法）・加圧接触法・拡散接合法・厚膜焼成法（接合集合化法）などがある。はんだ接合法では、使用中のはんだ材料の拡散のために劣化が起こる。厚膜焼成法では、接合界面に於いて不純物や酸素の混入などにより物理的欠陥が生じやすい。また接合するため、その接合界面において熱応力が発生し熱電材料の耐久年数に大きく影響する。これらの欠陥、熱応力による経年劣化を軽減するのが熱電変換素子、それらから組み立てられる熱電変換モジュールやシステムである。
【０００８】
熱電材料を用いたシステムは、使用する温度領域や熱量にあわせて、熱電材料の種類・形状・大きさや、その周りの断熱材の種類・厚みを選ぶことで最適化されている。空冷フィン、ファン付き空冷フィン、あるいは水冷などを用いて放熱を行い、そのほかの構造物との熱のやり取りも考慮しなければならない。そして、熱電材料はグリース・接着・はんだづけによって、電極・構造物に取り付けられている。また、はんだの電気化学的溶出がないように、あるいはグリース・接着剤などの拡散がないように、システム内のモジュール内部への湿気侵入防止のために、エポキシ樹脂、シリコン樹脂などでシールしている。こういったグリースやシール材によってモジュールの低温部と高温部間の熱伝導が生じて性能が下がっている。
例えば、熱電材料での熱電発電出力Ｐは
【数２】
0006307679.tif 000003
と表される。ここで、ＴＨ、ＴＣは高温および低温接合部温度、ｍ＝ＲＬ／Ｒである。Ｒ、ＲＬは内部抵抗および外部負荷である。電極―熱電材料間、異種熱電材料間などの電気的接触抵抗Ｒｃの熱発電モジュール効率ηへの影響は
【数３】
0006307679.tif 000004
となる。ここで、
【数４】
0006307679.tif 000005
である。非特許文献２によるとＳｉ／ＳｉＯ２基板上にＣｕ／Ｎｉ電極をメタライズされたところに電気化学的堆積法で熱電材料Ｂｉ２Ｔｅ３を高さＨで断面積がＡの形状に製作すると、その抵抗ＲＢｉ２Ｔｅ３はＲＢｉ２Ｔｅ３＝ＰＢｉ２Ｔｅ３Ｈ／ＡとなるのでＰはＨ／Ａに比例することになる。ここでＰＢｉ２Ｔｅ３はＢｉ２Ｔｅ３の抵抗率である。Ｈ／Ａを一定で、Ｈをマイクロからナノサイズに小さくすると、必要な断面積は減少し、出力密度が増えることが報告されている。実用用途として、人体と大気間の温度差でｐ〜１０数μＷが得られている。熱電変換素子から成る熱電変換モジュールの熱電発電出力も同様に検討される。
【０００９】
ある熱源に接触する絶縁体で皮膜された電極板とそれと異なる熱源に接触する面が絶縁体で皮膜された電極板の対がある。この電極対の間に極性の異なる熱電変換素子対のπ型熱電変換モジュールを単位にシステムが構成される。例えば、発電稼動で出力電流を上げるために、複数のπ型熱電変換モジュールの足部分の極性がそれぞれ同じ熱電材料になるように一枚の皮膜された電極板上に並ぶ並列配列、あるいは出力電圧を上げるために、π型熱電変換モジュールを上下に反転し極性の異なる対同士が一枚の皮膜された電極板に並ぶ直列配列、またこれらの複合した配列がある。このように複数のπ型熱電変換モジュールは熱源、電極そして極性の異なる熱電変換素子の複数の対から組み立てられている。熱電変換モジュールの性能を向上させるに極性の異なる熱電変換素子対の性能指数を変えることが必要である。このとき各π型の足の熱電変換素子対の断面積と長さがそれぞれ違う。熱電システムは、ある熱源から熱量Ｑｉｎを取得し、それを熱電変換モジュールに与え、熱量は熱電変換素子中を流れて放熱量Ｑｏｕｔとしてもう一方の熱源へと放出される。この間に電気的仕事Ｐが外界に作用する。すなわち、
【数５】
0006307679.tif 000006
（＋はゼーベック効果による発電動作、−はペルチェ効果による冷却動作）
なるエネルギー収支バランスが生じる。システム効率ηは
【数６】
0006307679.tif 000007
である。ηを最大化するには
１）使用する熱電変換モジュールの能力と目標性能とをバランスさせる。
２）熱電変換モジュール単体の性能を適当な経済性で最大発揮できるようにする。
を考慮に入れる。
例えば、発電稼動の熱電変換システム効率ηｇｅｎは
【数７】
0006307679.tif 000008
である。熱電変換モジュール内部抵抗ＲｉＭＯＤと外部仕事する際の抵抗Ｒｏの比ｍ＝Ｒｏ／ＲｉＭＯＤについて、ηｇｅｎを最大にするｍになるように最適化する。最大効率ηｍａｘは温度条件と熱電変換モジュールの物性値すなわち性能指数のみによって決まることが知られている。また、冷却稼動の熱電変換システム効率ηｒｅは
【数８】
0006307679.tif 000009
で表される。ηｒｅを最大にするｍになるように最適化する。その結果、Ｒｏに流れる作業物質流が最小化されＰが最小になる。
【先行技術文献】
【特許文献】
【００１０】
【特許文献１】特許第５７７１８５２号
【特許文献２】ＵＳ  ２００５／００１６５７５  Ａ１
【特許文献３】特開２００９−２１５９３
【非特許文献】
【００１１】
【非特許文献１】Ｊｐｎ．Ｊ．Ａｐｐｌ．Ｐｈｙｓ．４８，０９８００６（２００９）
【非特許文献２】Ｊ．−Ｐ．Ｆｌｅｕｒｉａｌ，Ｇ．Ｊ．Ｓｎｙｄｅｒ，Ｊ．Ａ．Ｈｅｒｍａｎ，Ｐ．Ｈ．Ｇｉａｕｑｕｅ，Ｗ．Ｍ．Ｐｈｉｌｌｉｐｓ，Ｍ．Ａ．Ｒｙａｎ，Ｐ．Ｓｈａｋｋｏｔｔａｉ，Ｅ．Ａ．Ｋｏｌａｗａ  ａｎｄ  Ｍ．Ａ．Ｎｉｃｏｌｅｔ：１８ｔｈ  Ｉｎｔｅｒｎａｔｉｏｎａｌ  Ｃｏｎｆｅｒｅｎｃｅ  ｏｎ  Ｔｈｅｒｍｏｅｌｅｃｔｒｉｃｓ（１９９９）．
【発明の概要】
【発明が解決しようとする課題】
【００１２】
空間あるいは細線で空間を架橋することにより熱電システムの効率をさらに向上させた熱電変換素子がある。この熱電変換素子を製造しやすくするために、熱電変換素子内の空間で対峙する熱電材料、作業物質良導体等の材料表面上に熱電変換素子より発電や冷却作動での熱流乃至作業物質流が伝わる方向に伝熱を妨げる最適な形状の手掛りを設け、この頭頂部に尖塔乃至尖塔端子を構築し、あるいは手掛り頭頂部間を架橋する手掛りを持つ熱電変換素子を構築し、それらから組み立てられる熱電システムの効率をさらに向上させることを目的とする。尚、尖塔と違って尖塔端子は多角形ピラミッド形、マウンド形乃至先の尖った形状構造物等である。
【課題を解決するための手段】
【００１３】
請求項１のｉ）は、図１のように熱電材料１０、１１の対峙する何れが乃至両方の熱電材料の表面上に一つ以上の手掛り１５を設け、その頭頂部に尖塔乃至尖塔端子１３を構築し熱流乃至作業物質流が伝わる方向に伝熱を防げるように、サブマイクロメートルの空間１２を配し、熱電変換素子に比べこの空間１２での作業物質流が左右の２つの熱電材料１０、１１での作業物質流と、ほとんど変えずあるいはより大きな値を保ちつつ、格子振動・マグノン・スピン波といった擬粒子が存在することに起因する伝熱や、熱源による熱揺らぎ、そして低温での量子揺らぎを抑えることで熱電システムの効率を向上させることを特徴とする。図１は１１の端面上に手掛りを造り、その頭頂部に尖塔を構築した構造物で、図１の空間１２を造る２つの熱電材料１０、１１が対峙する表面である尖塔表面１３と端面１４間距離が尖塔表面１３での絶対温度Ｔに依存した「距離」Ｌｍａｘ（Ｔ）を超えると、空間１２のフォノンによる熱伝達をほとんど無視できるようになる。なお、格子振動のＬｍａｘ（Ｔ）に比べマグノンやスピン波などのＬｍａｘ（Ｔ）は遥かに小さい。Ｌｍａｘ（Ｔ）は、原子間力顕微鏡と測定表面間距離の実測測定範囲から得ることができる。一方、空間はサブマイクロ以下にすることによって、作業物質の空間電荷に制限されるのを回避することを可能とする。空間の大きさをサブマイクロメートルからＬｍａｘ（Ｔ）に近づけることで、この部分の作業物質流をより大きくできる。以後、熱流乃至作業物質流の伝わるのを防げるように１つ以上存在する上記構造を含んだ空間を、空間部分と略する。熱電材料１０，１１のいずれか一方を熱電材料以外の作業物質良導体にすることもできる。
【００１４】
稼働時は空間部分の輻射エネルギー損失による熱エネルギーの伝導は空間部分の対峙端子間１３，１４の温度差と、対峙する面積に依存する。端子間１３、１４がＬｍａｘ（Ｔ）より広いがサブマイクロメートルよりも狭いと、空間部分を挟む熱電材料間や熱電材料と電極間の温度差は数ケルビン程度のため殆ど損出は抑えられる。また空間１２を真空にすることで、そこでの対流による伝熱を抑えられる。金属では熱伝導は古典系作業物質の熱伝導成分ｋｃによるものがほとんどであるが、半導体になってくると、格子による熱伝導成分ｋｐｈ成分が大きくなっていく。空間部分でのｋｃとｋｐｈの物理伝達現象の要因の違いを利用して、ｋｐｈをゼロそしてｋｃを低減する工夫である。ｋｐｈ成分とｋｃ成分が同じ場合には、フォノンによる熱伝導だけを抑えて他が変わらなくすると熱電変換素子に比べ、手掛りを持つ熱電変換素子では、作業物質流の増加や空間部分の対峙端子間１３，１４の温度差が小さくなり、より容易に数１の性能指数は２倍になる上、手掛りがあることにより空間部分の製造がより容易になる。性能指数の良い熱電材料にｋｐｈ成分とｋｃ成分が同程度のものがある。尚、熱電変換素子と手掛りを持つ熱電変換素子の共通の物理現象に対しては熱電変換素子と表示し、手掛りを持つ熱電変換素子特有の物理現象に対しては手掛りを持つ熱電変換素子と明記する。
【００１５】
明細書に組み込まれ、その一部を構成する添付の図面は、発明の原理に従った１つ以上の実施例を図示し、本明細書とともに、そのような実施例を模式的に説明するものである。発明の概念図では発明の本質を強調した説明になっている。
【００１６】
空間部分をいれることで、発電稼働時に空間部分が作業物質流を主に妨げる可能性がある。熱、電界、電磁波などを利用して作業物質は表面から放出される。図１で作業物質が１１から１０の方向に移動するとき、空間部分では、手掛りを持つ熱電変換素子内の１３，１４，１５の熱などのエネルギーによる作業物質が励起することによって、あるいは尖塔表面１３近傍で作業物質がそのポテンシャル障壁をトンネル透過することによって、作業物質が空間部分１２に移り、対峙極１４へと移動する。巨視的量子力学によると、空間部分内の界面１３の作業物質のポテンシャル障壁をトンネル透過する確率は作業物質質量が大きくなれば成るほど指数関数的に小さくなるが、極低温で稼動するときは揺らぎが抑えられるのでＬｍａｘ（Ｔ）がより小さくなり、１３，１４の端子間距離をより狭くできることで、作業物質質量が大きいイオンによる手掛りを持つ熱電変換素子も可能になる。半導体での電子とホールでは、一般にホールの質量が電子の質量の数倍である。その結果、ある程度空間１２が離れるとｐ形半導体でもホールがトンネル透過するよりは電子がトンネル透過する。熱電材料１１が半導体、尖塔１３が金属であるときは、半導体１１と尖塔１３とは発電稼働時はオーミック接合、冷却稼働ではショットキー接合であるほうがいい。
【００１７】
空間部分に電圧が印加されると、尖塔の高さが高く、表面１３、１４の端子間距離がＬｍａｘ（Ｔ）に大きいほうから近づけたり、図１の尖塔表面１３の凸先端部で曲率半径が小さかったりすれば電界が大きくなり、作業物質である荷電粒子の尖塔表面１３近傍での作業物質のポテンシャル障壁の高さと厚さが大きく低減する。最大電界は尖塔表面１３の凸先端部近傍であり、熱電材料１１と手掛り脚部との接合面から尖塔表面１３の凸先端までの高さと凸先端部の曲率半径に依存する増強因子βを用いるとその最大電界Ｅ凸はＥ凸＝βＥｓとなる。ここで、Ｅｓは手掛りを持つ熱電変換素子の作業物質放出表面１３が平板のときの平板近傍電界である。作業物質がトンネル透過するにはこの値が１０９［Ｖ／ｍ］より大きい必要がある。尖塔表面１３の曲率半径を小さくし、手掛りを含めて尖塔の高さを高くし、表面１３、１４の端子間距離を短くすることで電界を高めることができる。電流は尖塔先端の表面近傍の電界や作業物質放出面積に依存し、作業物質の種類や作業物質の熱励起放出・作業物質の電界放出・作業物質の光放出などの放出方法によってあるいは空間１２での空間電荷分布にしたがって流れる。
【００１８】
図１の空間１２に与えられた電圧では空間部分に生じる電界の強さを必要な値まで大きくできない場合、あるいは作業物質流が小さい場合は、図２は熱電材料２１の端面上に尖塔端子表面２４の空間部分を持つ手掛りを持つ熱電変換素子の図である。このように作業物質である荷電粒子受取端子表面２２の形状を、作業物質である荷電粒子放出尖塔表面２４を囲むように変形することで、最大電界Ｅ凸の値は変形する前より高まりそこでの荷電粒子放出する面積部分は増加する。またその他の尖った部位の電界が最大になる可能性もでてくる。その結果、荷電粒子放出量が増える。このように、表面２２，２４の形状を変化させることにより、作業物質である荷電粒子の電界放出による空間２３での作業物質流が空間を挟む熱伝導材料２０，２１のいずれかの作業物質流に出来るだけ近づけ、あるいはより良くすることで、数１の性能指数を向上させることを可能とする。作業物質流量が小さい場合に図３のよう複数の手掛り頭頂部にそれぞれを尖塔構造３０，３１，３２にし、並列にすることで作業物質流量を増やすことができる。
【００１９】
図１の手掛りを持つ熱電変換素子内の空間部分の熱電材料１０、１１の温度勾配によって発生した電圧を、空間１２での作業物質の移動に利用することで、外部に電源などを設置することなく、空間１２に作業物質を流すための電界による力が発生する。１０、１１間が広いときには熱電材料１０、１１の温度差は大きくなり、手掛りや尖塔部分も高くなる。尖塔に比べ大きい径を持つ手掛り頭頂と脚部間の温度差も大きくなり、１０、１１間を狭くできる。その上に、手掛りや尖塔部分が熱電材料であれば、その部分でも電圧を得るごとができ、数１の性能指数が大きくなる。多くの起電力を生じさせるように数十ナノメートル長程度の微結晶体の集合体からなる熱電材料、あるいは熱電材料の空間次元の制御を含めた素材形状やそれらの集合体などを尖塔の部分に用いれば最大電界Ｅ凸がその部分に熱電材料を用いない場合より大きくなり、空間部分の作業物質流が増え数１の性能指数を更に改善できる。尖塔部分の熱電材料の空間次元は、１次元（図４ａ）あるいは、２次元（図４ｂ，ｃ）、あるいは層状の図５にすることができる。
【００２０】
作業物質は、図１の空間１２中を移動しているとき、物質中１０を移動しているとき、１１や尖塔の間の手掛りとの界面、手掛りや尖塔の内部や物質中１１を移動しているとき、対峙表面１３に存在しているとき、対峙表面１４に存在しているときで位置エネルギー・運動エネルギーが異なっている。また作業物質の種類自体も変わる可能性もある。作業物質が１１から１０の方向に移動する場合、表面１３から出る作業物質は熱電材料１１から熱を奪う。一方、作業物質が空間１２を移動して受取対峙端子１４に結合したときには、空間１２での作業物質のエネルギーと物質１０での作業物質のエネルギーとの差が、熱などのエネルギーとして放出される。このとき発生される熱エネルギーを使い熱電材料１０の起電力を大きくすることができる。
【００２１】
図１の空間１２を移動する作業物質が熱電材料表面あるいは電極等の作業物質良導体表面を通過する際に、この作業物質がもつエネルギーがトンネル透過時のトンネル摩擦により表面近傍の表面作業物質状態へ散逸し、材料部分内の伝導する作業物質濃度が増加し作業物質流が多くなる。また、材料内や材料間の空間を移動する作業物質はその移動する方向に運動量を持っている。このために、空間１２を含めて異種材間の対峙表面のエネルギー状態を変化させ作業物質の対峙面内に進入する際の摩擦エネルギー損出が少なくして、この運動量を利用することにより、さらに電流量を大きくすることができる。
【００２２】
空間１２があると、異種固体接合界面を透過する拡散固体原子の拡散が少なくなり、特に、高温部での熱電材料と電極間での相互の固体原子拡散が少なくなり、熱電変換素子の内部抵抗Ｒｉが小さい上、耐久年数が向上する。冷却稼働時のように熱電変換素子の内部抵抗Ｒｉを小さくなるので消費電力が低減できるだけでなく、使用する電源に交流成分Ｉａｃが含まれるとＲｉのためにＲｉ（Ｉａｃ）２／２だけ吸熱量が低下する。このため印加する直流電源は交流成分の含有率であるリップル率が同じ電源では効率が上がる。
【００２３】
請求項１のｉｉ）は図１の対峙端子対１３、１４が分離した空間部分の存在する手掛りを持つ熱電変換素子であるが、上記の方法を用いても作業物質が空間部分を移動しにくく、空間部分内の伝導する作業物質流が空間部分を挟む両端の熱伝導材料内の作業物質流に満たない場合がある。この場合には図６のように作業物質良導体で対峙する手掛り頭頂部間の空間６２を架橋することで、熱流を抑えた状態で、Ｌｍａｘ（Ｔ）よりも長い部材を用いることで対峙する手掛り頭頂部端面６１から端面６０への直接の格子振動による熱流を抑えて、分離しているときより大きな作業物質流を得ることが可能である。図６の空間部分で対峙する熱電材料の表面上の手掛り頭頂部に６３として、数ナノメートルの径をもつ柱状（図４ａ）あるいは、数ナノメートルの厚みをもつ筒状（図４ｂ）あるいは、作業物質流の方向に対して垂直面の少なくとも一辺が数ナノメートルの長さである板状（図４ｃ）の部材を使うと肉厚を表わす断面ではない表面でのフォノン散乱の影響がこれら表面以外でのフォノン散乱の影響に比べて顕著になる。また、この場合作業物質流の方向以外で作業物質が散乱を受けにくい状態が存在することになり、表面が作業物質流の方向での作業物質の散乱にあまり影響を与えないほどの微小断面積であれば、作業物質流が大きくなる。作業物質良導体内の作業物質である場合には空間次元に対する作業物質の依存性も影響を与える。この断面積で、架橋部材内部の作業物質流が架橋部材を挟む両手掛り脚部と接する熱電材料内の作業物質流より小さくなるときには、作業物質良導体の断面積を大きくするか、複数の作業物質良導体を用いる。尚、この架橋した空間部分を架橋した空間部分とする。数ナノメートルの肉厚の板状の部材（図４ｂ，ｃ）は細い部材（図４ａ）に比べて作業物質流が悪くなるが、三次元であるバルクに比べてはよくなる。図６のように熱電材料の対峙する表面上に手掛りをもつ架橋した熱電変換素子では６０、６１上の手掛り間６２に細い作業物質良伝導の小体６３で対峙端子対が架橋した空間部分を持つことにより性能指数を高めることを特徴とする。
【００２４】
図４ａあるいは、図４で斜線をつけた断面方向から見て、図４ｂを組み合わせて図５ａのような構成の円筒層状構造、あるいは図４ｃを組み合せて図５ｂのような構成の平板層状構造あるいは熱電材料中の作業物質流を、架橋した空間部分のない熱電材料より小さくしないだけの断面積をもつ細い柱状作業物質良伝導体を以後、細線構造と略す。フォノンを散乱させるような界面をもつようにして作業物質の移動度の高い部分を層状にすることにより、熱の伝達を悪くし数１の性能指数を高めることができる。それに加えて、作業物質の移動度の高い隣接する部分に、径乃至径に垂直方向に作業物質が伝わらないだけの厚みを持つ作業物質の移動度の低い部分を介すことにより、細線構造全体としての作業物質流を高め数１の性能指数を高めることができる。細線６３が短いとフォノンが弾道的となりそれによる熱伝導度が大きくなってしまい、性能指数が小さくなる。細線６３が長い場合は、その部分に熱電材料を用いることにより、そこでの熱起電力により性能指数を上げることができる。
【００２５】
細線構造はフォノンの平均自由行程よりも長いと熱伝導はフーリエ法則に従う。短く弾道的になると熱伝導が大きくなり効率がわるくなる。図６の熱電材料の対峙する表面上の手掛り頭頂部と細線構造６３と６０または６１との界面の他に、熱電材料の表面に立脚する手掛り部の脚部での格子不整合、不純物、格子欠陥をできる限り少なくすることで、そこでの作業物質流がその両側にある熱電材料６０、６１の作業物質流にできる限り近づけるかあるいはより良くすることができる。架橋した部分空間を挟む両端の熱電材料の作業物質流を凌駕する作業物質流が得られるように図７に熱電材料の対峙する表面上に０以上の手掛りを構築し、それらの表面乃至頭頂部に１以上の細線構造を空間に導入する。
【００２６】
電流は、古典系作業物質あるいは巨視的を含む量子系作業物質により伝えられる。熱は電力を生じさせるものに付随して伝えられたり、格子振動、輻射などによって伝えられたりする。空間部分が狭い場合、あるいは空間部分が細線によって架橋された場合は極低温では量子系作業物質を利用することができる。以後細線によって架橋された空間部分を架橋した空間部分と略する。磁場がある場合、ホール効果やネルンスト効果により、あるいはそれに作業物質の抵抗が加わり、熱流や電流や電圧が同じ方向を向かない。格子振動に対してはＬｍａｘ（Ｔ）以上の距離であり、作業物質流に対してはそれに付随する伝熱を妨げるように空間部分や架橋した空間部分を設けることにより熱電材料の性能指数を向上させる。
【００２７】
図８の空間８２に接し対峙する２つが熱電材料乃至片一方が作業物質良導体である８０、８１の界面に０以上の手掛りを構築し、それらの手掛り頭頂部乃至それらの手掛りに対峙する界面に０以上の尖塔乃至尖塔端子８３を構築し、それらを含めた界面（以後、簡単化のために界面と略す）を考える。光を含む電磁波や放射線をこれらの界面に照射すると、そのエネルギーが作業物質に与えられる。これにより作業物質が界面近傍で高いエネルギー状態になり、空間部分への作業物質のポテンシャル障壁越えのエネルギーが小さくなる。また作業物質のポテンシャルをトンネル透過するポテンシャル障壁の幅が小さくなる。あるいは表面上の飛び出しやすい作業物質の状態をとることができる。放射線源は、主に、作業物質の作業物質放出表面から作業物資受取表面への移動を助ける働きをする。請求項２は図８の空間８２を移動する作業物質や、放出端子表面をもつ材料８１や表面から空間８２に出ようとする作業物質に空間８２に配した電磁波供給部や放射線源から作業物質にエネルギーを与え、作業物質が空間８２を伝導しやすくすることを可能とする。放射線源を作業物質の放出端子乃至放出端子８１に対峙する熱電材料８０表面部分に埋め込むこともできる。放射線源を作業物質放出端子８１近傍に置いた場合あるいは埋め込んだ場合には、放射崩壊による熱を利用することができる。光を用いる場合には光ファイバー等を用いて空間部分内に導き作業物質放出面を照射する。あるいは空間部分での中心部分での対峙端子間距離が短く、外側で対峙端子間距離を長くすることで内部まで光が到達できるようになる。図８において８１の界面の手掛り頭頂部上を尖塔乃至尖塔端子構造にすることで電界電子放出の効果を含めることもできる。
【００２８】
空間部分あるいは架橋した空間部分を含む熱電変換素子は作業物質の移動度が位置的・時間的に均一でなくなる。作業物質の持つ電荷の流入量と流出量が違う界面では、作業物質の電荷の流入あるいは流出が多く電荷が蓄積し、作業物質流を阻害する。また、作業物質の電荷が蓄積すると熱電変換素子の劣化が起こる。請求項３は作業物質受取端子表面あるいは放出端子表面に作業物質良導体薄膜をコーティングすることでそれら表面に局部的に存在する作業物質の持つ電荷を拡散させる効果が得られることを特徴とする。作業物質良導体薄膜のコーティングは、素子を強化することにより、あるいは熱の集中を防ぐことにより劣化の影響を少なくし、単位時間に得られるエネルギー量を増加させる。作業物質受取端子表面あるいは放出端子表面を作業物質良導体でコーティングすることにより作業物質受取端子表面あるいは放出端子表面と熱電材料内部との局在電荷濃度差に基づいた端子内部への移動に対する作業物質のポテンシャル障壁を小さくし、あるいは作業物質の濃度が過不足であることに基づく破壊を少なくすることができる。
【００２９】
空間部分があり手掛りを持つ熱電変換素子では、作業物質の空間部分での移動にともない、空間内の局所的な移動によるイオン衝撃や力学的破壊により端子部分の劣化が起る。また、空間に気体、あるいは金属蒸気を封入することで、気体分子との作業物質との間の衝突、作業物質の空間でのエネルギー状態を変化させる。請求項４は作業物質放出表面透過後の放出表面内あるいは受取表面の作業物質励起による摩擦以外の熱電材料破壊を無くすためにその表面を他の物質でコーティングしたり他の物質を接合させたり、原子間結合力を大きくすることによって、あるいは原子集団で協調した動きをさせることで保護することを特徴とする。あるいは作業物質受取端子をかご型の熱電材料を用いることによって振動を吸収し劣化を防ぐことも可能である。
【００３０】
手掛りを持つ熱電変換素子では、動作温度範囲にわたって、温度勾配に沿って不純物ドープによる電子濃度を連続的に制御した傾斜構造（ＦＧＭ：Ｆｕｎｃｔｉｏｎａｌｌｙ  Ｇｒａｄｅｄ  Ｍａｔｅｒｉａｌ）にすることにより均一組成の熱電材料より性能指数を大きくすることが可能である。手掛りを持つ熱電変換素子を組み合せて使用する場合、使用目的によって性能の考え方が変わってくる。手掛りを持つ熱電変換素子の電極などの金属部分も性能に影響を及ぼす。また、手掛りを持つ熱電変換材料が空間部分を形成する場合、内部で対峙端面間距離の調整し空間部分の大きさを変えることで、あるいは表面形状を変えることで、作業物質の移動を容易にでき、また伝熱を小さくできる。請求項５は空間あるいは架橋した空間部分によりセグメント化されていることで、熱電材料あるいは電極材料の成分の拡散などによる性能の劣化の影響が少なく、接合による素子作成時の欠陥が無い状態で、システム構成が変更可能であることを特徴とする。図９のように対峙端面間隔距離をアクチュエータで変化させることによって種々の温度領域に対応させることを可能とする。
【００３１】
セグメント化された熱電材料を組み合わせる方式では熱電システムの耐久性は熱電材料と電極部分の接合している部分やセグメント間で生じる界面の使用時の温度分布、空間部分の熱膨張や熱源の熱揺らぎによる動作時の温度変化の影響による熱応力での疲労により決まる。また、このために熱電材料と電極間の接触抵抗が大きくなって、その結果、疲労亀裂のジュール熱による焼損が報告されている。空間部分を設けることによって、熱膨張による力学的な破損を防ぐことができる。対峙端子間はＬｍａｘ（ｔ）より大きくしてあるので、特に低温での量子揺らぎや、動作時の温度変化による界面の揺らぎでの熱応力による破壊や、作業物質以外の界面間移動による疲労破壊が抑えられる。
【００３２】
高温部と低温部の温度差が広域であればあるほど手掛りを持つ熱電変換素子内の空間部分の数は多くできる。一方、高温部と低温部の温度差が広域であるかどうかに関係なく、手掛りを持つ熱電変換素子内の架橋した空間部分の数は多くすればするほど空間部分内の輻射エネルギー損出以外の付加損出が低減できる。
【００３３】
高温部と低温部の温度差が広域である発電時稼動中の発電では、複数段空間部分を配すことにより、起電力を大きくすることができる。図１０のように複数セグメント化された熱電材料あるいは作業物質良導体により構成されているとする。この時、熱電変換素子或は手掛りを持つ熱電変換素子１０１表面にあるナノサイズの作業物質良伝導体柱あるいはコイルの高さ、これらの作業物質放出面の曲率半径とこれら作業物質良伝導体柱やコイルの作業物質放出表面積、空間部分端子間の最適距離およびセグメントの数は次のようにして決まる。空間部分端子間距離はサブマイクロメータでＬｍａｘ（Ｔ）より大きい値から近づけることで、図１０の発電稼働を具体例として、下記のように作業物質流をより大きくできる。
１）空間部分端子間内の尖塔乃至尖塔端子或は手掛り頭頂部に尖塔乃至尖塔端子（以後、簡単化のためこれらを纏めて「尖塔」と略す。）表面から対峙端子表面間距離がＬｍａｘ（Ｔ）を超えると、この空間部分のフォノンによる熱伝達をほとんど無視できる。このＬｍａｘ（Ｔ）は、「尖塔」表面と対峙端子を構成する原子間の力と関係があり原子間力顕微鏡と測定表面間距離の実測測定範囲から得ることができる。熱膨張や熱源の熱揺らぎ、特に低温では量子揺らぎを考慮することでＬｍａｘ（Ｔ）を補正できる。
２）動作中の空間部分内の「尖塔」表面の近傍の増強電界強度は対峙端子間での電位差／距離に曲率を考慮に入れた比例係数βをかけて近似できる。あるいは、シミュレーションによって求められる。また対峙端子間の電位差は空間部分両端の熱電材料の起電力に影響を受ける。
３）作業物質の熱励起や低温での量子揺らぎやトンネル透過による作業物質の移動量は作業物質放出面積・方向に依存する。また注入された端子でも、作業物質の移動の方向によって作業物質が注入された熱電材料バルクの作業物質の状態密度が注入前から変わり、その結果微視的な電気伝導度、熱伝導度に影響を与える。「尖塔」乃至「尖塔」に至る部位を細線にすることで、これらの物性値が変化し、性能指数がよくなる。空間部分の作業物質受取端面が上記２を満たすように空間形状や空間部分端子間距離を最適化して熱電材料の作業物質流に近づける。このような工夫によりスムーズで効率的な作業物質の空間移動が可能となる。
４）光を含む電磁波や放射線照射を加味し、一つの「尖塔」では熱電材料バルク以上の作業物質流が得られないときは、図３のように複数の「尖塔」を配すことにより作業物質流を大きくすることができる。複数の「尖塔」が電子放出端子表面に密にあると上記２のβの効果が大きく低減される。電界電子放出による作業物質流が分割される前の両端にある熱電材料の作業物質流以上になるか、あるいはできるだけ近づけるように電子放出端子表面の「尖塔」密度を含めて最適化する。このようにして適切な空間部分端子間距離が定まる。
【００３４】
温度差が広域であるために、分割される前の両端にある熱電材料の作業物質流以上になるか、空間部分内の増強電界強度による電界電子放出による作業物質流れが熱電材料バルクの作業物質流量以上になるか、あるいはできるだけ近づけるように電子放出端子表面の「尖塔」密度を含めて最適化できるならば、以上の１から４の工夫を他の空間部分に適応する。上記の結果、１個以上の電極端子表面の形状を含めて最適化された空間部分により、対峙端子間温度差による輻射放出エネルギー損失以外の付加損出を大きく低減できる（図１１）。高温部と低温部の温度差が狭域である発電稼動がある場合は、空間部分端子間距離の最適化ができない。この場合は光を含む電磁波や放射線照射を加味し、図６の熱電材料の対峙する表面上に対の手掛りを持つ架橋した空間部分を用いる。冷却の場合は必要なだけの電圧・電流を印加する。上記のように製造されれば、熱電材料の性能指数が最高であっても、手掛りを持つ熱電変換素子の性能指数は大きく改善される。また冷却稼働は発電稼働の可逆過程なので、冷却稼働でもこのように製造された手掛りを持つ熱電変換素子の効率は大きく改善される（図１２）。
【００３５】
手掛りを対峙する材料表面上に構築された熱電材料群も必ずしも図示された順序で、しかも全てを用いて手掛りを持つ熱電変換素子に作製される必要はない。また、二組の極性の違う熱電変換素子乃至手掛りを持つ熱電変換素子からなるπ型モジュールのように、他の熱電材料群に依存しない熱電材料群は、他の熱電材料群と並行して独立した形態でπ型モジュールが作製されてもよい。さらに、複数のπ型モジュールが直列あるいは並列、または直列と並列の混成したπ型モジュール群となる集合でシステムに実装される。直列あるいは並列、または直列と並列の混成したπ型モジュールで実装の数多くの組み合わせを例として説明したが、明らかなように、π型モジュール以外の熱電変換素子からなる組み合わせからなるモジュールも本発明の範囲及び精神に従って意図される。
【００３６】
図９のように熱電材料９０と９１あるいは熱電材料と端子を移動させる代わりに、熱電材料９０との間で作業物質が散乱されにくく、しかも作業物質を放出する対峙端面９１の「尖塔」の放出面積より大きくしかもそれに相似形状またはそれを囲む形状をもつ微小な作業物質の作業物質良伝導体９４が作業物質の放出面に平行に移動するのをこの９５に配置したアクチュエータは助ける。稼働開始時に交流を重畳することによって、空間部分９２あるいは、アクチュエータが駆動する面９４と電極表面９０との間９３がコンデンサーの役割を果たすことにより空間部分にかかる電圧を高い状態にすることができる。その結果、その高電圧を初動動作のトリガーとして利用できる。また、多段にすることでＣＲ発振やＣＬ発振を利用することで稼働時に目的とする空間部分にかかる電圧を高い状態にすることができる。
【００３７】
上記の説明においては、請求項に係る発明の様々な態様の完全な理解を提供するため、例えば具体的な構造である「距離」Ｌｍａｘ（Ｔ）、荷電粒子受取端子表面の形状変形、「尖塔」に用いる空間部分の形状、架橋した空間部分の形状、コーティング或いは材料、アクチュエータ、π型モジュール、π型モジュールの集合体と外部負荷を考えたシステムといった特定が説明されている。しかしながら、そのような特定は説明のために提示されるものであり、請求項に係る発明に関する限定として解釈されるべきではない。
【００３８】
本発明の原理に従った熱電材料の性能指数の最大化や最適化されたπ型モジュールやシステム実施形態についての以上の説明は、熱電材料、π型モジュールやシステムの最適化の例示及び説明を提供するものであり、網羅的なものでも、本発明の範囲を開示されたシステム実施形態そのものに限定するものでもない。以上の教示により変更及び変形が可能であり、あるいは、本発明の様々なシステム実施形態の実施から変更及び変形が得られる。明らかなように、請求項に係る発明に従った空間部分あるいは架橋した空間部分を持つ手掛りが有り無しの熱電材料より熱電変換素子を実現する方法、π型モジュール及び／又はシステムを提供することには、数多くの実施形態が採用され得る。
【００３９】
本出願の説明に使用された如何なるアクチュエータ、π型モジュールそしてシステム、特に断らない限り、本発明に決定的に重要な、あるいは不可欠なものとして解されるべきではない。
【図面の簡単な説明】
【００４０】
【図１】手掛りを持つ熱電変換素子内の手掛り頭頂部に尖塔を持つ空間部分の図。
【図２】手掛りを持つ熱電変換素子内の手掛り頭頂部尖塔端子とそれを囲む端子を含む空間部分の図。
【図３】手掛りを持つ熱電変換素子内の複数の手掛り頭頂部にそれぞれ尖塔構造を複数持つ空間部分の図。
【図４】肉厚の断面積が微細な柱構造図。（ａ）は円柱。（ｂ）は中空筒。（ｃ）は直方体。
【図５】層状構造をもつ架橋部材の肉厚断面図。（ａ）は円柱。（ｂ）は直方体。
【図６】手掛りを持つ熱電変換素子内の架橋した空間部分の図。
【図７】手掛りを持つ熱電変換素子内で複数の架橋部材をもつ架橋した空間部分の図。
【図８】熱電変換素子内の手掛りとそれに対峙する界面上に尖塔を有する空間部分の図。
【図９】作業物質放出端面と相似形状をもつアクチエータで動作する作業物質良伝導体のある空間部分の図。
【図１０】熱電変換素子乃至手掛りを持つ熱電変換素子の多段にセグメント化された空間部分の図。
【図１１】輻射エネルギー損失を考慮した空間部分に手掛りを持つ熱電変換素子。
【図１２】冷却・発電稼働が可能な空間部分に手掛りを持つ熱電変換素子。
【符号の説明】
【００４１】
１０  作業物質受取端子表面をもつ熱電材料または作業物質良導体
１１  作業物質放射端子表面に手掛りをもつ熱電材料または作業物質良導体でかつ１０，１１を特定する材料がともに作業物質良導体である場合を除く
１２  空間
１３  作業物質放出端子の尖塔
１４  作業物質受取端子表面
１５  手掛り
２０  作業物質受取端子表面をもつ熱電材料または作業物質良導体
２１  作業物質放射端子表面をもつ熱電材料または作業物質良導体でかつ２０，２１を特定する材料がともに作業物質良導体である場合を除く
２２  作業物質受取端子表面
２３  空間
２４  手掛り頭頂部の作業物質放出尖塔端子表面
３０、３１、３２  尖塔端子
３３，３４  手掛り
６０  対峙する材料表面上に手掛りを持つ熱電材料
６１  対峙する材料表面上に手掛りを持つ熱電材料または作業物質良導体
６２  空間
６３  作業物質良導体である架橋部材
６４、６５  手掛り
７０  作業物質受取端子表面をもつ熱電材料または作業物質良導体
７１  作業物質放出端子表面をもつ熱電材料または作業物質良導体でかつ７０，７１を特定する材料がともに作業物質良導体である場合を除く
７２  空間
７３  複数の作業物質良導体架橋部材
７４，７５  手掛り
８０  作業物質受取端子表面をもつ熱電材料または作業物質良導体
８１  作業物質放出端子表面をもつ熱電材料または作業物質良導体でかつ８０，８１を特定する材料がともに作業物質良導体である場合を除く
８２  空間
８３  尖塔
８４  手掛り
９０  熱電材料または作業物質良導体
９１  尖塔端子が手掛り頭頂部にある乃至なしの手掛りを持つ熱電材料または作業物質良導体でかつ９０，９１を特定する材料がともに作業物質良導体である場合を除く
９２  空間
９３  相似形状をもつ面と熱電材料または作業物質良導体端面との間の空間
９４  尖塔乃至手掛り頭頂部に尖塔の形状に相似形状をもつ面
９５  相似形状をもつ面と熱電材料または作業物質良導体端面との間を保持し、作業物質が流れるようにする材料
１００、１０１、１０２  尖塔が手掛り頭頂部にある乃至なしの手掛りを持つ熱電材料または作業物質良導体の、熱電材料を含むセグメント
１１０  作業物質受取端子表面をもつ熱電材料または作業物質良導体
１１１  作業物質放出端子表面をもつ熱電材料または作業物質良導体でかつ１１０，１１１を特定する材料がともに作業物質良導体である場合を除く
１１２  手掛りをもつ尖塔
１２０  作業物質受取端子表面をもつ熱電材料または作業物質良導体
１２１  作業物質放出端子表面をもつ熱電材料または作業物質良導体でかつ１２０，１２１を特定する材料がともに作業物質良導体である場合を除く
１２２  手掛りをもつ尖塔
【図１】
0006307679.tif 000010
【図２】
0006307679.tif 000011
【図３】
0006307679.tif 000012
【図４】
0006307679.tif 000013
【図５】
0006307679.tif 000014
【図６】
0006307679.tif 000015
【図７】
0006307679.tif 000016
【図８】
0006307679.tif 000017
【図９】
0006307679.tif 000018
【図１０】
0006307679.tif 000019
【図１１】
0006307679.tif 000020
【図１２】
0006307679.tif 000021